(57)【特許請求の範囲】
【請求項１】
下部に主集塵室を有する主旋回室と、前記主旋回室へその接線方向に連通する主吸引路と、前記主旋回室の上部へ上下方向に連通する主排出路とを備え、前記主吸引路から前記主旋回室に流入した空気が前記主旋回室を旋回して前記主排出路から排出されることで、塵埃を遠心分離して前記主集塵室に貯留させる主サイクロンと、
前記主吸引路から上方に分岐し、前記主吸引路へ吸引される塵埃よりも小さい塵埃が吸引される副吸引路と、前記主旋回室の上側に配置されて前記副吸引路が接線方向に連通する副旋回室と、その副旋回室の上部へ上下方向に連通する副排出路と、前記副旋回室の下部に連通し、前記主集塵室と区画される副集塵室とを備え、前記副吸引路から前記副旋回室に流入した空気が前記副旋回室を旋回して前記副排出路から排出されることで、塵埃を遠心分離して前記副集塵室に集塵させる副サイクロンと、
を備えた本体を含んでなるサイクロン装置であって、
前記主旋回室の外側に、スリットを介して前記主旋回室と連通し、前記主集塵室及び副集塵室と区画される外側集塵室を形成して、前記主旋回室を旋回する空気の遠心力により、前記主集塵室に落下しない塵埃を前記スリットを介して前記外側集塵室に貯留させる一方、
前記本体の中心に前記主集塵室を配置して、前記主集塵室の外側にリング状の前記外側集塵室を同軸で配置すると共に、前記外側集塵室の外側にリング状の前記副集塵室を同軸で配置し、
前記本体の上部に設けた排気筒内に、前記主旋回室と連通して内部に前記主排出路を形成する内筒と、前記副旋回室と連通して内部に前記主排出路と区画された前記副排出路を形成する外筒とを同軸で配置した
ことを特徴とするサイクロン装置。
【請求項２】
下部に主集塵室を有する主旋回室と、前記主旋回室へその接線方向に連通する主吸引路と、前記主旋回室の上部へ上下方向に連通する主排出路とを備え、前記主吸引路から前記主旋回室に流入した空気が前記主旋回室を旋回して前記主排出路から排出されることで、塵埃を遠心分離して前記主集塵室に貯留させる主サイクロンと、
前記主吸引路から上方に分岐し、前記主吸引路へ吸引される塵埃よりも小さい塵埃が吸引される副吸引路と、前記主旋回室の上側に配置されて前記副吸引路が接線方向に連通する副旋回室と、その副旋回室の上部へ上下方向に連通する副排出路と、前記副旋回室の下部に連通し、前記主集塵室と区画される副集塵室とを備え、前記副吸引路から前記副旋回室に流入した空気が前記副旋回室を旋回して前記副排出路から排出されることで、塵埃を遠心分離して前記副集塵室に集塵させる副サイクロンと、
を備えた本体を含んでなるサイクロン装置であって、
前記主旋回室の外側に、スリットを介して前記主旋回室と連通し、前記主集塵室及び副集塵室と区画される外側集塵室を形成して、前記主旋回室を旋回する空気の遠心力により、前記主集塵室に落下しない塵埃を前記スリットを介して前記外側集塵室に貯留させる一方、
前記本体に、前記主旋回室と連通して上方へ突出し、内部に前記主排出路を形成する筒体を設けて、前記筒体の下端を前記スリットの下端と同一高さとした
ことを特徴とするサイクロン装置。
【請求項３】
下部に主集塵室を有する主旋回室と、前記主旋回室へその接線方向に連通する主吸引路と、前記主旋回室の上部へ上下方向に連通する主排出路とを備え、前記主吸引路から前記主旋回室に流入した空気が前記主旋回室を旋回して前記主排出路から排出されることで、塵埃を遠心分離して前記主集塵室に貯留させる主サイクロンと、
前記主吸引路から上方に分岐し、前記主吸引路へ吸引される塵埃よりも小さい塵埃が吸引される副吸引路と、前記主旋回室の上側に配置されて前記副吸引路が接線方向に連通する副旋回室と、その副旋回室の上部へ上下方向に連通する副排出路と、前記副旋回室の下部に連通し、前記主集塵室と区画される副集塵室とを備え、前記副吸引路から前記副旋回室に流入した空気が前記副旋回室を旋回して前記副排出路から排出されることで、塵埃を遠心分離して前記副集塵室に集塵させる副サイクロンと、
を備えた本体を含んでなるサイクロン装置であって、
前記主旋回室の外側に、スリットを介して前記主旋回室と連通し、前記主集塵室及び副集塵室と区画される外側集塵室を形成して、前記主旋回室を旋回する空気の遠心力により、前記主集塵室に落下しない塵埃を前記スリットを介して前記外側集塵室に貯留させる一方、
前記副サイクロンの下端に、前記主旋回室を形成するハウジングの上部に嵌合するキャップ部を設け、前記本体の上部に設けた排気筒内に、前記主旋回室と連通して前記副サイクロンに設けた貫通孔を貫通して上方へ突出し、内部に前記主排出路を形成する筒体を設けて、前記筒体に設けたフランジを前記貫通孔に嵌合させることで、前記主旋回室を閉塞すると共に、前記排気筒内で前記筒体の外側に形成される前記副排出路を前記主旋回室と区画する
ことを特徴とするサイクロン装置。
【請求項４】
前記副旋回室を、外周側が前記副集塵室と連通する渦巻き状の通気路を含むものとし、前記通気路を形成する外周側の壁体に、前記通気路を通過する空気の遠心力により、塵埃を前記通気路の外周側へ排出する透孔を形成したことを特徴とする請求項１乃至３の何れかに記載のサイクロン装置。
【請求項５】
各集塵室を、底部に設けた一つの蓋体で同時に開閉可能としたことを特徴とする請求項１乃至４の何れかに記載のサイクロン装置。
【請求項６】
前記主吸引路内をその途中で上下に分割して上側を前記副吸引路としたことを特徴とする請求項１乃至５の何れかに記載のサイクロン装置。
【発明の詳細な説明】
【技術分野】
【０００１】
本発明は、集塵機等に用いられ、吸引した空気から塵埃を分離するサイクロン装置に関する。
【背景技術】
【０００２】
集塵機や掃除機等においては、フィルタを用いず、ハウジング内に吸引した空気を旋回させながら塵埃を分離するサイクロン方式がよく採用されている。例えば特許文献１には、接線方向の吸引路を備えて下端に集塵室を設けた外方サイクロンの内部に、下端を集塵室上に開口した内方サイクロンを設けて、外方サイクロンでの空気の旋回で大きい塵埃を分離させ、内方サイクロンでの空気の旋回で小さい塵埃を分離させるようにした二重サイクロン装置の発明が記載されている。
【先行技術文献】
【特許文献】
【０００３】
【特許文献１】特公昭５７−１１７０６号公報
【発明の概要】
【発明が解決しようとする課題】
【０００４】
しかし、従来のサイクロン装置では、外方サイクロンの旋回流路と内方サイクロンの旋回流路とが直列に繋がっているため、旋回流路が全体に長くなって径方向に大型化する。また、大きさに関わらず塵埃は一つの集塵室に回収されるため、旋回する空気量が多くなると小さい塵埃が舞い上がり、空気と共に装置外へ排出されてしまうおそれも生じる。
【０００５】
そこで、本発明は、コンパクトに形成でき、塵埃の舞い上がりも生じさせずに塵埃を確実に分離回収できるサイクロン装置を提供することを目的としたものである。
【課題を解決するための手段】
【０００６】
上記目的を達成するために、請求項１に記載の発明は、下部に主集塵室を有する主旋回室と、主旋回室へその接線方向に連通する主吸引路と、主旋回室の上部へ上下方向に連通する主排出路とを備え、主吸引路から主旋回室に流入した空気が主旋回室を旋回して主排出路から排出されることで、塵埃を遠心分離して主集塵室に貯留させる主サイクロンと、
主吸引路から上方に分岐し、主吸引路へ吸引される塵埃よりも小さい塵埃が吸引される副吸引路と、主旋回室の上側に配置されて副吸引路が接線方向に連通する副旋回室と、その副旋回室の上部へ上下方向に連通する副排出路と、副旋回室の下部に連通し、主集塵室と区画される副集塵室とを備え、副吸引路から副旋回室に流入した空気が副旋回室を旋回して副排出路から排出されることで、塵埃を遠心分離して副集塵室に集塵させる副サイクロンと、を備えた本体を含んでなるサイクロン装置であって、
主旋回室の外側に、スリットを介して主旋回室と連通し、主集塵室及び副集塵室と区画される外側集塵室を形成して、主旋回室を旋回する空気の遠心力により、主集塵室に落下しない塵埃をスリットを介して外側集塵室に貯留させる一方、本体の中心に主集塵室を配置して、主集塵室の外側にリング状の外側集塵室を同軸で配置すると共に、外側集塵室の外側にリング状の副集塵室を同軸で配置し、本体の上部に設けた排気筒内に、主旋回室と連通して内部に主排出路を形成する内筒と、副旋回室と連通して内部に主排出路と区画された副排出路を形成する外筒とを同軸で配置したことを特徴とするものである。
上記目的を達成するために、請求項２に記載の発明は、下部に主集塵室を有する主旋回室と、主旋回室へその接線方向に連通する主吸引路と、主旋回室の上部へ上下方向に連通する主排出路とを備え、主吸引路から主旋回室に流入した空気が主旋回室を旋回して主排出路から排出されることで、塵埃を遠心分離して主集塵室に貯留させる主サイクロンと、 主吸引路から上方に分岐し、主吸引路へ吸引される塵埃よりも小さい塵埃が吸引される副吸引路と、主旋回室の上側に配置されて副吸引路が接線方向に連通する副旋回室と、その副旋回室の上部へ上下方向に連通する副排出路と、副旋回室の下部に連通し、主集塵室と区画される副集塵室とを備え、副吸引路から副旋回室に流入した空気が副旋回室を旋回して副排出路から排出されることで、塵埃を遠心分離して副集塵室に集塵させる副サイクロンと、を備えた本体を含んでなるサイクロン装置であって、
主旋回室の外側に、スリットを介して主旋回室と連通し、主集塵室及び副集塵室と区画される外側集塵室を形成して、主旋回室を旋回する空気の遠心力により、主集塵室に落下しない塵埃をスリットを介して外側集塵室に貯留させる一方、本体に、主旋回室と連通して上方へ突出し、内部に主排出路を形成する筒体を設けて、筒体の下端をスリットの下端と同一高さとしたことを特徴とするものである。
上記目的を達成するために、請求項３に記載の発明は、下部に主集塵室を有する主旋回室と、主旋回室へその接線方向に連通する主吸引路と、主旋回室の上部へ上下方向に連通する主排出路とを備え、主吸引路から主旋回室に流入した空気が主旋回室を旋回して主排出路から排出されることで、塵埃を遠心分離して主集塵室に貯留させる主サイクロンと、
主吸引路から上方に分岐し、主吸引路へ吸引される塵埃よりも小さい塵埃が吸引される副吸引路と、主旋回室の上側に配置されて副吸引路が接線方向に連通する副旋回室と、その副旋回室の上部へ上下方向に連通する副排出路と、副旋回室の下部に連通し、主集塵室と区画される副集塵室とを備え、副吸引路から副旋回室に流入した空気が副旋回室を旋回して副排出路から排出されることで、塵埃を遠心分離して副集塵室に集塵させる副サイクロンと、を備えた本体を含んでなるサイクロン装置であって、
主旋回室の外側に、スリットを介して主旋回室と連通し、主集塵室及び副集塵室と区画される外側集塵室を形成して、主旋回室を旋回する空気の遠心力により、主集塵室に落下しない塵埃をスリットを介して外側集塵室に貯留させる一方、副サイクロンの下端に、主旋回室を形成するハウジングの上部に嵌合するキャップ部を設け、本体の上部に設けた排気筒内に、主旋回室と連通して副サイクロンに設けた貫通孔を貫通して上方へ突出し、内部に主排出路を形成する筒体を設けて、筒体に設けたフランジを貫通孔に嵌合させることで、主旋回室を閉塞すると共に、排気筒内で筒体の外側に形成される副排出路を主旋回室と区画することを特徴とするものである。
請求項４に記載の発明は、請求項１乃至３の何れかの構成において、副旋回室を、外周側が副集塵室と連通する渦巻き状の通気路を含むものとし、通気路を形成する外周側の壁体に、通気路を通過する空気の遠心力により、塵埃を通気路の外周側へ排出する透孔を形成したことを特徴とするものである。
請求項５に記載の発明は、請求項１乃至４の何れかの構成において、各集塵室を、底部に設けた一つの蓋体で同時に開閉可能としたことを特徴とするものである。
請求項６に記載の発明は、請求項１乃至５の何れかの構成において、主吸引路内をその途中で上下に分割して上側を副吸引路としたことを特徴とするものである。
【発明の効果】
【０００７】
本発明によれば、主サイクロンの上側に、主吸引路から上方に分岐する副吸引路を有する副サイクロンを配置したことで、径方向の寸法が小さくなって全体をコンパクトに形成することができる。また、大きさが異なる塵埃を主集塵室と副集塵室とにそれぞれ分別して回収できるため、塵埃の舞い上がりを生じさせることがなく、好適な集塵効率が維持可能となる。
特に、主集塵室と副集塵室とに貯留されない中程度の塵埃も分離して貯留することができる。
請求項４に記載の発明によれば、請求項１乃至３の何れかの効果に加えて、副旋回室内を旋回する空気から透孔を介して塵埃を効率良く分離することができる。
請求項５に記載の発明によれば、請求項１乃至４の何れかの効果に加えて、塵埃を異なる集塵室に分離回収しても容易に廃棄できる。
請求項６に記載の発明によれば、請求項１乃至５の何れかの効果に加えて、主吸引路から上方へ分岐する副吸引路を上下方向へコンパクトに形成することができる。
【図面の簡単な説明】
【０００８】
【図１】サイクロン装置の分解斜視図である。
【図２】サイクロン装置の分解正面図である。
【図３】サイクロン装置の平面図である。
【図４】図３のＡ−Ａ線断面図である。
【図５】図３のＢ−Ｂ線断面図である。
【図６】図３のＢ−Ｂ線断面斜視図である。
【図７】内ハウジング及び蓋体の中央縦断面図である。
【図８】図７のＣ−Ｃ線断面図である。
【図９】上カバー及び副サイクロンを除いたサイクロン装置の平面図である。
【図１０】図９のＤ−Ｄ線断面図である。
【図１１】上カバーを除いたサイクロン装置の平面図である。
【図１２】上カバーを除いた副サイクロンの斜視図である。
【図１３】上カバーを除いた副サイクロンの説明図で、（Ａ）は平面、（Ｂ）が正面、（Ｃ）が右側面をそれぞれ示す。
【図１４】図１３のＥ−Ｅ線断面図である。
【図１５】上カバー及び排気筒の平面図である。
【図１６】（Ａ）は図１５のＦ−Ｆ線断面図、（Ｂ）はＧ−Ｇ線断面図である。
【図１７】図１５のＧ−Ｇ線断面斜視図である。
【発明を実施するための形態】
【０００９】
以下、本発明の実施の形態を図面に基づいて説明する。
図１は、サイクロン装置の一例を示す分解斜視図、図２は分解正面図で、サイクロン装置１は、図３〜６にも示すように、全体が円柱状を呈する本体２の上面中央に、排気筒３を上向きに立設してなる。本体２は、主サイクロン４と、その上側に配される副サイクロン５とを備えている。
まず主サイクロン４は、本体２の中央に、内下筒７と、その内下筒７上に同軸でネジ結合される内上筒８とからなる筒状の内ハウジング６を備えている。内下筒７の下端を除く内面には、上端から下方へ行くに従って先細りとなるテーパ孔部９が形成されて、内下筒７の下端内面には、テーパ孔部９の下端と連続する複数のリブ１０，１０・・が放射状に突設されて、内部に主集塵室１１を形成している。
【００１０】
また、内上筒８の上端には、下切欠部１２が接線方向に形成されて、内上筒８の周囲には、図７，８に示すように、下切欠部１２の接線方向に沿った回転方向（図８の右回転方向）で、平面視で９０°毎に接線方向へ傾斜状に開口する複数のスリット１３，１３・・が形成されている。
さらに、内ハウジング６の外側には、内下筒７よりも大径筒状の中下筒１５と、その中下筒１５上に同軸で結合される同径筒状の中上筒１６とからなる中ハウジング１４が、内ハウジング６と同軸で設けられている。
【００１１】
但し、中上筒１６の上部は、図９，１０にも示すように、徐々に小径となるリング状の下天井部１７となって、その中心に、内上筒８と同径で上方へ突出する筒状の小径部１８を形成している。内上筒８の上端は、中上筒１６の下天井部１７に当接した状態でネジ結合されて小径部１８と同軸で連通している。小径部１８には、内上筒１６の下切欠部１２と上下方向に連続する上切欠部１９が形成されて、上切欠部１９には、小径部１８の接線方向に延びる左右一対の横板２１，２１と、その横板２１，２１の下端間を繋ぐ下板２２とで囲まれる接線方向の誘導路２０が形成されている。この誘導路２０の下端は、内上筒８の下切欠部１２に嵌合している。
これにより、内上筒８と小径部１８との内部には、誘導路２０から接線方向に進入した空気が内周に沿って旋回する主旋回室２３が形成される一方、内ハウジング６と中ハウジング１４との間には、主集塵室１１と区画されるリング状の外側集塵室２４が形成される。
【００１２】
また、中ハウジング１４の外側には、中下筒１５よりも大径筒状で同じ高さの外下筒２６と、その外下筒２６上に同軸でネジ結合される同径筒状の外上筒２７とからなる外ハウジング２５が、中ハウジング１４と同軸で設けられている。このうち外上筒２７の上部は、中上筒１６の下天井部１７よりも上方で徐々に小径となるリング状の上天井部２８となって、その中心に、小径部１８と同軸で且つ小径部１８よりも大径で上方へ突出する筒状の大径部２９を形成している。副サイクロン５は、大径部２９及び小径部１８に載置される。この外ハウジング２５により、中ハウジング１４との間に副集塵室３０が形成される。
【００１３】
そして、本体２の下面には、蓋体３１が設けられている。この蓋体３１は、外ハウジング２５の外下筒２６にネジ結合される円盤状で、上面には、内ハウジング６の内下筒７の下端が間に嵌合する内外一対の内突条３２，３２と、中ハウジング１４の中下筒１５の下端が間に嵌合する内外一対の外突条３３，３３とが突設されている。この内外の突条３２，３３により、内下筒７及び中下筒１５の位置決めが行われる。また、蓋体３１の取り外しにより、主集塵室１１、外側集塵室２４、副集塵室３０を同時に開放可能となっている。
【００１４】
一方、外上筒２７の上部外周には、図９〜１１にも示すように、一端が接線方向へ開口し、上端が開放される横断面倒コ字状で、開口から周方向へ略３／４周分だけ周回した後、終端が中心側へ折曲して誘導路２０と繋がる導入路３４が形成されている。この導入路３４の上部から誘導路２０及び副サイクロン５の上部にかけて、渦巻き状の上カバー３５がネジ止めされて、導入路３４及び誘導路２０、副サイクロン５の上部を閉塞している。これにより、導入路３４の開口には四角形状の吸込口３６が形成され、導入路３４の終端から誘導路２０にかけて主旋回室２３へ接線方向に連通する主吸引路３７が形成されることになる。なお、誘導路２０は、導入路３４の下側でのみ導入路３４と繋がっている。３８は、誘導路２０の幅に合わせて外上筒２７の大径部２９に設けられた切欠き３８である。
【００１５】
副サイクロン５は、図１２，１３に示すように、中上筒１６の大径部２９に嵌合するリング状の外枠４０を有し、その外枠４０の外側に、大径部２９の切欠き３８に嵌合して誘導路２０の上方に位置し、導入路３４の上側でその終端と結合される一対の平行な第１、第２導入板４１，４２を突設している。また、外枠４０の内側には、第１導入板４１と連続する第１直線壁４４と、その第１直線壁４４から外枠４０に沿って渦巻き状に周回する壁体としての第１渦巻壁４５とからなる帯板状の第１ガイド部４３が設けられている。また、第１ガイド部４３の内側には、第１導入板４１と第２導入板４２との間で第１直線壁４４と平行な第２直線壁４７と、その第２直線壁４７から第１ガイド部４３に沿って渦巻き状に周回する第２渦巻壁４８とからなる帯板状の第２ガイド部４６が設けられている。
【００１６】
さらに、第２ガイド部４６の内側には、第２導入板４２と連続すると共に、第１ガイド部４３の第１渦巻壁４５の終端が接続される第３直線壁５０と、その第３直線壁５０から第２ガイド部４６に沿って渦巻き状に周回する第３渦巻壁５１とからなる帯板状の第３ガイド部４９が設けられている。この第３ガイド部４９の第３渦巻壁５１の終端と、第２ガイド部４６の第２渦巻壁４８の終端とが接続されて、第１ガイド部４３と第２ガイド部４６との間に、外枠４０の中央で第３ガイド部４９によって囲まれる貫通孔５２と連通する渦巻き状の通気路５３が形成されている。この通気路５３の下部は、第１、第２ガイド部４３，４６の下端間を閉塞する仕切板５４で閉塞される一方、外枠４０には、通気路５３を第１、第２導入板４１，４２の間、すなわち導入路３４と連通させる開口５５が形成されている。
【００１７】
５６，５６・・は、外枠４０と第１ガイド部４３の第１渦巻壁４５との間で、放射方向から第１渦巻壁４５に沿った傾斜方向に架設され、第１ガイド部４３を支持する外支持板、５７，５７・・は、第２ガイド部４６と第３ガイド部４９との間で外支持板５６と同じ傾斜方向に架設される内支持板で、第１ガイド部４３の第１渦巻壁４５と第３ガイド部４９の第３渦巻壁５１とには、両支持板５６，５７と同じ傾斜方向に貫通する透孔５８，５８・・が、所定間隔をおいて複数形成されて、通気路５３を外枠４０と第１ガイド部４３との間に、貫通孔５２を第２ガイド部４６と第３ガイド部４９との間にそれぞれ連通させている。
【００１８】
また、第３ガイド部４９の下端には、図１４にも示すように、貫通孔５２から下方へ行くに従って拡径するテーパ筒状のキャップ部５９が一体に形成されている。このキャップ部５９は、中ハウジング１４の中上筒１６の小径部１８に嵌合して小径部１８を閉塞するもので、キャップ部５９の上面と第１、第２ガイド部４３，４６の下面との間には、内支持板５７と連続状の傾斜リブ６０，６０・・が立設されて、第１、第２ガイド部４３，４６とキャップ部５９との間に、全周に亘って隙間を形成している。
【００１９】
よって、副サイクロン５を、外枠４０を大径部２９に、キャップ部５９を小径部１８にそれぞれ嵌合させた状態では、通気路５３は、第１ガイド部４３の透孔５８，５８・・を介して副集塵室３０と連通すると共に、貫通孔５２は、第３ガイド部４９の透孔５８，５８・・を介して副集塵室３０と連通することになる。
また、上カバー３５によって通気路５３を含む外枠４０の上端が閉塞されることで、主吸引路３７の途中に、図５，１１にも示すように、上側の開口５５から副サイクロン５内に進入し、第１直線壁４４と第２直線壁４７との間を通る副吸引路６１と、副吸引路６１が接線方向に連通して第１渦巻壁４５と第２渦巻壁４８との間で外枠４０内を旋回して貫通孔５２に至る副旋回室６２とが形成される。すなわち、主吸引路３７は、誘導路２０を介して副サイクロン５の下側を潜って主旋回室２３側へ導かれる一方、副吸引路６１は、主吸引路３７から誘導路２０の上側に分岐して副サイクロン５内に導かれて形成されることになる。
【００２０】
一方、排気筒３は、上カバー３５の上面に外枠４０と同心円上にネジ止めされている。排気筒３内には、図４及び図１５〜１７に示すように、排気筒３内に嵌入され、排気筒３の上端から上カバー３５を貫通して貫通孔５２に達する外筒６３と、その外筒６３の内側で放射方向の小リブ６４，６４・・によって隙間をおいて保持され、排気筒３の上端から上カバー３５を貫通してその下方へ突出する内筒６５とが設けられている。内筒６５において、副サイクロン５の貫通孔５２を貫通する下方部６６は、上側部分よりも大径となって、その上端に形成したフランジ６７が貫通孔５２の下端に嵌合して貫通孔５２を閉塞し、そのままキャップ部５９を貫通して内ハウジング６の内上筒８内へ同軸で突出している。この状態で下方部６６の下端は、内上筒８のスリット１３の下端と略同じ高さとなっている。よって、ここでは、内筒６５が、主旋回室２３の上部と上下方向に連通してその内部に主排出路６８を形成し、外筒６３と内筒６５との間の隙間が、副旋回室６２の終端となる貫通孔５２と上下方向に連通して副排出路６９を形成することになる。
【００２１】
以上の如く構成されたサイクロン装置１においては、排気筒３に例えば電動送風機を接続する一方、吸込口３６にホース等を接続すると、塵埃と共に空気を吸引することができる。吸引された空気は、導入路３４から誘導路２０に至ってその上下に分岐し、一方が下側の主吸引路３７に、他方が上側の副吸引路６１にそれぞれ流れることになるが、風量は下側の誘導路２０の方が大きくなる。ここで、比較的大きな塵埃は、導入路３４の下側を専ら移動するため、殆どが主吸引路３７から主旋回室２３内に進入し、図４に実線矢印で示すようにそのまま落下して内下筒７内の主集塵室１１に貯留する。このとき、主集塵室１１に落下しない中程度の塵埃は、図４及び６に点線矢印で示すように主旋回室２３内を空気が旋回する際の遠心力により、スリット１３，１３・・を介して実線矢印のように外側集塵室２４内に落下して貯留する。主旋回室２３を旋回した空気は、内筒６５内の主排出路６８を通って上方に排出される。
【００２２】
一方、主吸引路３７に流れない細かい塵埃は、図１１に一点鎖線矢印で示すように上側の副吸引路６１を流れて副旋回室６２を旋回する。第１渦巻壁４５には透孔５８，５８・・が形成されているため、細かい塵埃は、第１渦巻壁４５に沿って空気が旋回する際の遠心力により、図４及び１４に実線矢印で示すように、透孔５８，５８・・を介して外枠４０との間に排出され、そのまま副集塵室３０内に落下して貯留する。ここで分離されずに貫通孔５２に達した細かい塵埃は、第３渦巻壁５１に沿って空気が旋回する際の遠心力により、透孔５８，５８・・を介して第２渦巻壁４８との間に排出され、そのまま副集塵室３０内に落下して貯留する。副旋回室６２を旋回した空気は、外筒６３と内筒６５との間の副排出路６９を通って上方に排出される。
こうして各集塵室１１，２４，３０に貯留された塵埃を排出する際には、蓋体３１を取り外せば、各集塵室１１，２４，３０の下端が同時に開放されるため、サイクロン装置１の下端から塵埃を一度に排出することができる。
【００２３】
このように、上記形態のサイクロン装置１は、下部に主集塵室１１を有する主旋回室２３と、主旋回室２３へその接線方向に連通する主吸引路３７と、主旋回室２３の上部へ上下方向に連通する主排出路６８とを備え、主吸引路３７から主旋回室２３に流入した空気が主旋回室２３を旋回して主排出路６８から排出されることで、塵埃を遠心分離して主集塵室１１に貯留させる主サイクロン４と、主吸引路３７から上方に分岐し、主吸引路３７へ吸引される塵埃よりも小さい塵埃が吸引される副吸引路６１と、主旋回室２３の上側に配置されて副吸引路６１が接線方向に連通する副旋回室６２と、その副旋回室６２の上部へ上下方向に連通する副排出路６９と、副旋回室６２の下部に連通し、主集塵室１１と区画される副集塵室３０とを備え、副吸引路６１から副旋回室６２に流入した空気が副旋回室６２を旋回して副排出路６９から排出されることで、塵埃を遠心分離して副集塵室３０に集塵させる副サイクロン５と、を含んでなる構成としている。
これにより、径方向の寸法が小さくなって全体をコンパクトに形成することができる。また、大きさが異なる塵埃を主集塵室１１と副集塵室３０とにそれぞれ分別して回収できるため、塵埃の舞い上がりを生じさせることがなく、好適な集塵効率が維持可能となる。
【００２４】
特にここでは、主旋回室２３の外側に、スリット１３を介して主旋回室２３と連通し、主集塵室１１及び副集塵室３０と区画される外側集塵室２４を形成して、主旋回室２３を旋回する空気の遠心力により、主集塵室１１に落下しない塵埃をスリット１３を介して外側集塵室２４に貯留させるようにしているので、主集塵室１１と副集塵室３０とに貯留されない中程度の塵埃も分離して貯留することができる。
また、副旋回室６２を、外周側が副集塵室３０と連通する渦巻き状の通気路５３を含むものとし、通気路５３を形成する外周側の第１渦巻壁４５に、通気路５３を通過する空気の遠心力により、塵埃を通気路５３の外周側へ排出する透孔５８，５８・・を形成したことで、副旋回室６２内を旋回する空気から透孔５８を介して塵埃を効率良く分離することができる。
【００２５】
さらに、各集塵室１１，２４，３０を、底部に設けた一つの蓋体３１で同時に開閉可能としているので、塵埃を異なる集塵室に分離回収しても容易に廃棄できる。
加えて、主吸引路３７内をその途中で上下に分割して上側を副吸引路６１としたことで、主吸引路３７から上方へ分岐する副吸引路６１を上下方向へコンパクトに形成することができる。
【００２６】
なお、上記形態では、内ハウジングの外側に中ハウジングを設けて外側集塵室を形成し、スリットを介して中程度の塵埃を外側集塵室に貯留させるようにしているが、中ハウジング及びスリットを省略して主集塵室に大中の塵埃を貯留させるようにしてもよい。
また、一つの蓋体で全ての集塵室を同時に開閉可能としているが、集塵室毎に異なる蓋体で開閉可能として、大きさ別に塵埃を廃棄可能とすることもできる。さらには蓋体をヒンジ構造で開閉可能としたり、蓋体にキャスターを設けて装置を可動式にしたりすることも考えられる。
そして、各ハウジングは、上下２つの筒体で形成する構造に限らず、３つ以上の筒体で形成してもよいし、逆に１つの筒体で形成してもよい。各ハウジングの深さや外径も適宜変更できる。
【００２７】
一方、副サイクロンにおいても、例えば第３渦巻部の透孔を省略したり、第３渦巻部の内側にさらに第４渦巻部を形成したり、第２、第３ガイド部を省略して、第１ガイド部のみで塵埃を遠心分離したり、全体を筒状とした単純なサイクロン構造としたり等、適宜変更可能である。
また、副吸引路の分岐は、上記形態では主吸引路を上下に分割することで行っているが、主吸引路から上方に突出する格好で副吸引路を分岐形成してもよい。
その他、上カバーを導入路と一体に設けたり、導入路の長さを変えたりすることも可能で、主吸引路や副吸引路を断面円形等の他の断面形状にすることもできる。導入路を省略することも可能である。
【符号の説明】
【００２８】
１・・サイクロン装置、２・・本体、３・・排気筒、４・・主サイクロン、５・・副サイクロン、６・・内ハウジング、７・・内下筒、８・・内上筒、１１・・主集塵室、１３・・スリット、１４・・中ハウジング、１５・・中下筒、１６・・中上筒、１８・・小径部、２０・・誘導路、２３・・主旋回室、２４・・外側集塵室、２５・・外ハウジング、２６・・外下筒、２７・・外上筒、２９・・大径部、３０・・副集塵室、３１・・蓋体、３４・・導入路、３５・・上カバー、３６・・吸込口、３７・・主吸引路、４０・・外枠、４３・・第１ガイド部、４４・・第１直線壁、４５・・第１渦巻壁、４６・・第２ガイド部、４７・・第２直線壁、４８・・第２渦巻壁、４９・・第３ガイド部、５０・・第３直線壁、５１・・第３渦巻壁、５２・・貫通孔、５３・・通気路、５４・・仕切板、５５・・開口、５８・・透孔、５９・・キャップ部、６１・・副吸引路、６２・・副旋回室、６３・・外筒、６５・・内筒、６８・・主排出路、６９・・副排出路。
【図１】
0005759341.tif 000002
【図２】
0005759341.tif 000003
【図３】
0005759341.tif 000004
【図４】
0005759341.tif 000005
【図５】
0005759341.tif 000006
【図６】
0005759341.tif 000007
【図７】
0005759341.tif 000008
【図８】
0005759341.tif 000009
【図９】
0005759341.tif 000010
【図１０】
0005759341.tif 000011
【図１１】
0005759341.tif 000012
【図１２】
0005759341.tif 000013
【図１３】
0005759341.tif 000014
【図１４】
0005759341.tif 000015
【図１５】
0005759341.tif 000016
【図１６】
0005759341.tif 000017
【図１７】
0005759341.tif 000018